(57)【要約】【課題】プローブの先端硬質部の短縮を図る。【解決手段】光を導光して先端から射出可能な細長い光ファイバ１と、長手方向に形成され光ファイバ１が貫通する貫通穴５，６を有する柱状の振動伝達部材２と、該振動伝達部材２の外周面に設けられ、交番電圧の印加によって光ファイバ１の長手方向に伸縮振動することにより振動伝達部材２に長手方向に交差する方向の屈曲振動を発生させる圧電素子３Ａ，３Ｂ，３Ｃ，３Ｄとを備え、貫通穴５，６が、振動伝達部材２の基端面から長手方向の途中位置まで形成され、光ファイバ１の外周面に嵌合する嵌合穴５と、振動伝達部材２の途中位置から先端面まで形成され、光ファイバ１の外径よりも大きな内径を有し、光ファイバ１の外周面との間に間隔を空けて該光ファイバ１の先端部分を収容する収容穴６とからなる光ファイバスキャナ１０を提供する。【選択図】図１
2015159890.tif 000002
【特許請求の範囲】
【請求項１】
光を導光して先端から射出可能な細長い光ファイバと、
長手方向に形成され前記光ファイバが貫通する貫通穴を有する柱状の振動伝達部材と、
該振動伝達部材の外周面に設けられ、交番電圧の印加によって前記光ファイバの長手方向に伸縮振動することにより前記振動伝達部材に前記長手方向に交差する方向の屈曲振動を発生させる圧電素子とを備え、
前記貫通穴が、前記振動伝達部材の基端面から長手方向の途中位置まで形成され、前記光ファイバの外周面に嵌合する嵌合穴と、前記振動伝達部材の前記途中位置から先端面まで形成され、前記光ファイバの外径よりも大きな内径を有し、前記光ファイバの外周面との間に間隔を空けて該光ファイバの先端部分を収容する収容穴とからなる光ファイバスキャナ。
【請求項２】
前記圧電素子が、前記途中位置を前記長手方向に跨がって設けられている請求項１に記載の光ファイバスキャナ。
【請求項３】
前記圧電素子が、前記振動伝達部材の先端またはその近傍を含む位置に設けられている請求項１または請求項２に記載の光ファイバスキャナ。
【請求項４】
前記収容穴が、前記光ファイバの先端の前記交差する方向の最大振幅よりも大きな直径と、前記光ファイバの前記嵌合穴から先端側に突出した部分の長さと同等またはそれ以下の深さとを有する円筒状である請求項１から請求項３のいずれかに記載の光ファイバスキャナ。
【請求項５】
前記収容穴が、基端側から先端側に向かって内径が漸次大きくなる錐台状である請求項１から請求項３のいずれかに記載の光ファイバスキャナ。
【請求項６】
前記振動伝達部材の基端部分の外周面を保持する筒状の保持部材を備え、
該保持部材が、先端側の端面に設けられ、前記振動伝達部材の外周面との間に、前記圧電素子の前記光ファイバの径方向の寸法よりも大きな幅の隙間を形成する凹部を有し、
前記圧電素子の基端部分が、前記凹部内に配置されている請求項１から請求項５のいずれかに記載の光ファイバスキャナ。
【請求項７】
請求項１から請求項６のいずれかに記載の光ファイバスキャナと、
該光ファイバスキャナの基端側に配置され、前記光ファイバに照明光を供給する光源と、
前記光ファイバスキャナの先端側に配置され、前記光ファイバの先端から射出される光を被検体に集光する照明レンズと、
前記光ファイバスキャナおよび前記照明レンズを収容する細長い外筒とを備える照明装置。
【請求項８】
請求項７に記載の照明装置と、
該照明装置によって光が被検体に照射されることにより前記被検体から戻る戻り光を検出する光検出部とを備える観察装置。
【発明の詳細な説明】
【技術分野】
【０００１】
本発明は、光ファイバスキャナ、照明装置および観察装置に関するものである。
【背景技術】
【０００２】
従来、圧電素子を用いて光ファイバの先端を高速で振動させることにより、光ファイバの先端から射出される光をスパイラル状の軌跡に沿って走査する光ファイバスキャナが知られている（例えば、特許文献１参照。）。特許文献１の光ファイバスキャナは、チタン酸ジルコン酸鉛（ＰＺＴ）からなる筒状のアクチュエータによって光ファイバを片持ち梁状に保持し、光ファイバの、アクチュエータから突出した先端部分を振動させている。
【先行技術文献】
【特許文献】
【０００３】
【特許文献１】特表２００８−５０４５５７号公報
【発明の概要】
【発明が解決しようとする課題】
【０００４】
光ファイバスキャナを内視鏡のようなプローブに搭載する場合、光学設計上、光ファイバスキャナからプローブの先端に配置される照明レンズまでのプローブの先端部分（先端硬質部）を硬質な外筒で被覆する必要がある。このときに、特許文献１の光ファイバスキャナは、光ファイバがアクチュエータから大きく突き出した構造であり、アクチュエータよりも先端側の部分が長くなるため、プローブの先端硬質部が長くなる。先端硬質部が長いと、例えば、狭く湾曲した管腔内において良好な操作性が得られないため、より短い先端硬質部が望まれている。
【０００５】
本発明は、上述した事情に鑑みてなされたものであって、プローブの先端硬質部の短縮を図ることができる光ファイバスキャナ、照明装置および観察装置を提供することを目的とする。
【課題を解決するための手段】
【０００６】
上記目的を達成するため、本発明は以下の手段を提供する。
本発明は、光を導光して先端から射出可能な細長い光ファイバと、長手方向に形成され前記光ファイバが貫通する貫通穴を有する柱状の振動伝達部材と、該振動伝達部材の外周面に設けられ、交番電圧の印加によって前記光ファイバの長手方向に伸縮振動することにより前記振動伝達部材に前記長手方向に交差する方向の屈曲振動を発生させる圧電素子とを備え、前記貫通穴が、前記振動伝達部材の基端面から長手方向の途中位置まで形成され、前記光ファイバの外周面に嵌合する嵌合穴と、前記振動伝達部材の前記途中位置から先端面まで形成され、前記光ファイバの外径よりも大きな内径を有し、前記光ファイバの外周面との間に間隔を空けて該光ファイバの先端部分を収容する収容穴とからなる光ファイバスキャナを提供する。
【０００７】
本発明によれば、圧電素子に交番電圧が印加されて振動伝達部材が屈曲振動すると、この屈曲振動が、光ファイバの、嵌合穴に嵌合している部分から、嵌合穴から先端側に片持ち梁状に突出した部分（先端振動部）に伝達され、光ファイバの先端が長手方向に交差する方向に振動する。これにより、光ファイバの先端から射出される照明光を該照明光の進行方向に交差する方向に走査することができる。
【０００８】
この場合に、光ファイバの先端振動部の少なくとも一部が、振動伝達部材の先端側部分に形成された収容穴に収容され該収容穴内で屈曲振動する構造となっているので、光ファイバの振動伝達部材の先端面からの突出量が小さくなる。これにより、光ファイバスキャナが搭載される内視鏡のようなプローブの先端硬質部に対応する、振動伝達部材の基端面から光ファイバの先端面までの部分を短縮し、プローブの先端硬質部の短縮を図ることができる。
【０００９】
上記発明においては、前記圧電素子が、前記途中位置を前記長手方向に跨がって設けられていてもよく、前記振動伝達部材の先端またはその近傍を含む位置に設けられていてもよい。
このようにすることで、振動伝達部材の長手方向の寸法を有効に利用して圧電素子を設けることによって、圧電素子の伸縮振動を振動伝達部材によって効率的に光ファイバに伝達することができる。
【００１０】
また、上記発明においては、前記収容穴が、前記光ファイバの先端の前記交差する方向の最大振幅よりも大きな直径と、前記光ファイバの前記嵌合穴から先端側に突出した部分の長さと同等またはそれ以下の深さとを有する円筒状であってもよい。
このようにすることで、光ファイバの先端振動部を、収容穴の内壁に接触させることなく収容穴内で振動させることができる。
【００１１】
また、上記発明においては、前記収容穴が、基端側から先端側に向かって内径が漸次大きくなる錐台状であってもよい。
このようにすることで、先端振動部の振動振幅が大きくなる先端側程、収容穴の内径を大きくすることによって、先端振動部の収容穴の内壁との接触をさらに効果的に防ぐことができる。
【００１２】
また、上記発明においては、前記振動伝達部材の基端部分の外周面を保持する筒状の保持部材を備え、該保持部材が、先端側の端面に設けられ、前記振動伝達部材の外周面との間に、前記圧電素子の前記光ファイバの径方向の寸法よりも大きな幅の隙間を形成する凹部を有し、前記圧電素子の基端部分が、前記凹部内に配置されていてもよい。
このようにすることで、圧電素子、収容穴および先端振動部の位置を全体的に基端側へずらし、振動伝達部材の基端面から光ファイバの先端面までの部分をさらに短縮することができる。
【００１３】
また、本発明は、上記いずれかに記載の光ファイバスキャナと、該光ファイバスキャナの基端側に配置され前記光ファイバに照明光を供給する光源と、前記光ファイバスキャナの先端側に配置され前記光ファイバの先端から射出される光を被検体に集光する照明レンズと、前記光ファイバスキャナおよび前記照明レンズを収容する細長い外筒とを備える照明装置を提供する。
また、本発明は、上記に記載の照明装置と、該照明装置によって光が被検体に照射されることにより前記被検体から戻る戻り光を検出する光検出部とを備える観察装置を提供する。
【発明の効果】
【００１４】
本発明によれば、プローブの先端硬質部の短縮を図ることができるという効果を奏する。
【図面の簡単な説明】
【００１５】
【図１】本発明の第１の実施形態に係る光ファイバスキャナの構成を示す（ａ）縦断面図および（ｂ）光ファイバの先端側から見た正面図である。
【図２】図１の光ファイバスキャナを備える観察装置の構成を示す縦断面図である。
【図３】図１の光ファイバスキャナの第１の変形例の構成を示す（ａ）縦断面図および（ｂ）先端側から見た正面図である。
【図４】図１の光ファイバスキャナの第２の変形例の構成を示す（ａ）縦断面図および（ｂ）先端側から見た正面図である。
【図５】図１の光ファイバスキャナの第３の変形例の構成を示す（ａ）縦断面図および（ｂ）先端側から見た正面図である。
【図６】本発明の第２の実施形態に係る光ファイバスキャナの構成を示す（ａ）縦断面図および（ｂ）先端側から見た正面図である。
【図７】本発明の第３の実施形態に係る光ファイバスキャナの構成を示す縦断面図（下段）と、図１（ａ）の光ファイバスキャナの縦断面図である。
【発明を実施するための形態】
【００１６】
（第１の実施形態）
本発明の第１の実施形態に係る光ファイバスキャナ１０について、図１から図５を参照して以下に説明する。なお、本実施形態の説明において、光ファイバ１の径方向をＸ方向およびＹ方向とし、光ファイバ１の長手方向をＺ方向とする直交座標系Ｘ，Ｙ，Ｚを用いる。
【００１７】
本実施形態に係る光ファイバスキャナ１０は、図１（ａ），（ｂ）に示されるように、ガラス材料からなる細長い丸棒状の光ファイバ１と、該光ファイバ１の先端部分の外周面に向けられた振動伝達部材２と、該振動伝達部材２の外周面に設けられた板状の圧電素子３Ａ，３Ｂ，３Ｃ，３Ｄと、保持部材４とを備えている。
【００１８】
振動伝達部材２は、ニッケルまたは銅などの金属材料からなる四角柱状の部材であり、可撓性の光ファイバ１を構造的に補強している。振動伝達部材２は、先端面から基端面までその長手方向の中心軸に沿って形成された貫通穴５，６を有し、該貫通穴５，６内に光ファイバ１が貫通している。この貫通穴は、嵌合穴５と収容穴６とからなる。
【００１９】
嵌合穴５は、光ファイバ１の外径と略同一の内径を有し、振動伝達部材２の基端面から長手方向の途中位置まで延びている。振動伝達部材２は、嵌合穴５に嵌合した光ファイバ１の外周面と嵌合穴５の内周面とが互いに固定されることにより、嵌合穴５の位置で光ファイバ１を片持ち梁状に保持している。
【００２０】
収容穴６は、光ファイバ１の外径よりも大きな内径を有し、振動伝達部材２の前記長手方向の途中位置から先端面まで延びている。光ファイバ１の、収容穴６の底面に開口する嵌合穴５の先端開口から突出した部分（以下、この部分を先端振動部１ｂという。）は、収容穴６の内周面との間に円筒状の隙間を空けて収容穴６内に収容されている。収容穴６の直径Ｅは、後述するように圧電素子３Ａ，３Ｂ，３Ｃ，３Ｄの駆動によって振動する光ファイバ１の先端１ａのＸ方向およびＹ方向の最大振幅Ｄよりもわずかに大きい。収容穴６の深さＧは、先端振動部１ｂの長さＦと同等またはそれ以下であり、光ファイバ１の先端１ａは振動伝達部材２の先端面と略同じ位置またはこれよりもわずかに突出した位置に配置されている。
【００２１】
圧電素子３Ａ，３Ｂ，３Ｃ，３Ｄは、チタン酸ジルコン酸鉛（ＰＺＴ）等の圧電セラミックス材料から形成され、長さａを有する板状の部材である。圧電素子３Ａ，３Ｂ，３Ｃ，３Ｄのおもて面と裏面にはそれぞれ、おもて面が＋極、裏面が−極となるように電極処理が施されており、矢印Ｐで示されるように、＋極から−極に向かう方向の分極が施されている。圧電素子３Ａ，３Ｂ，３Ｃ，３Ｄは、分極方向Ｐである厚さ方向を光ファイバ１の径方向に向け、振動伝達部材２の４つの側面に導電性接着剤等によって１枚ずつ貼り付けられている。各圧電素子３Ａ，３Ｂ，３Ｃ，３Ｄと保持部材４との間には、隙間Ｃが設けられている。
【００２２】
ここで、Ｘ方向に互いに対向する２枚の圧電素子３Ａ，３Ｂは、分極方向Ｐが同一となるように振動伝達部材２に貼り付けられている。圧電素子３Ａ，３Ｂには、圧電素子駆動用のリード線７が導電性接着剤によって接合されている。リード線７を介して圧電素子３Ａ，３ＢにＡ相の交番電圧が印加されると、圧電素子３Ａ，３Ｂは、分極方向Ｐに直交するＺ方向に伸縮振動する。このときに、２枚の圧電素子３Ａ，３Ｂのうち、一方がＺ方向に縮み、他方がＺ方向に伸びることにより、振動伝達部材２にＸ方向の屈曲振動が発生する。この振動伝達部材２のＸ方向の屈曲振動が光ファイバ１に伝達されることにより、先端振動部１ｂが収容穴６内でＸ方向に屈曲振動する。
【００２３】
同様に、Ｙ方向に互いに対向する２枚の圧電素子３Ｃ，３Ｄも、分極方向Ｐが同一となるように振動伝達部材２に貼り付けられている。圧電素子３Ｃ，３Ｄには、圧電素子駆動用のリード線８が導電性接着剤によって接合されている。リード線８を介して圧電素子３Ｃ，３ＤにＢ相の交番電圧が印加されると、圧電素子３Ｃ，３Ｄは、分極方向Ｐに直交するＺ方向に伸縮振動する。このときに、２枚の圧電素子３Ｃ，３Ｄのうち、一方がＺ方向に縮み、他方がＺ方向に伸びることにより、振動伝達部材２にＹ方向の屈曲振動が発生する。この振動伝達部材２のＹ方向の屈曲振動が光ファイバ１に伝達されることにより、先端振動部１ｂが収容穴６内でＹ方向に屈曲振動する。
【００２４】
保持部材４は、光ファイバ１の途中位置を後述する観察装置１００の外筒１２に対して固定するための部材である。保持部材４は、ステンレス等の金属材料から形成され、長さｂを有する円筒状の部材であり、振動伝達部材２の基端部分の外周面に嵌合して導電性接着剤によって振動伝達部材２に固定されている。ここで、保持部材４は、交番電圧によって圧電素子３Ａ，３Ｂ，３Ｃ，３Ｄを駆動する際の共通ＧＮＤとして機能する。この理由から、圧電素子駆動用のＧＮＤリード線９が保持部材４の表面に導電性接着剤を介して接合されている。
なお、図２から図７において、リード線７，８，９の図示は省略している。
【００２５】
次に、このように構成された光ファイバスキャナ１０の作用について説明する。
本実施形態に係る光ファイバスキャナ１０によって、光源から光ファイバ１に供給された照明光を被検体上で走査するには、光ファイバ１の先端１ａの振幅が最大となる屈曲振動状態（モード）を生成する周波数を有するＡ相の交番電圧を、リード線７を介して圧電素子３Ａ，３Ｂに印加することにより、光ファイバ１の先端振動部１ｂにＸ方向に直線状の屈曲振動が励起される。
【００２６】
同様に、光ファイバ１の先端１ａの振幅が最大となる屈曲振動状態（モード）を生成する周波数を有するＢ相の交番電圧を、リード線８を介して圧電素子３Ｃ，３Ｄに印加することにより、光ファイバ１の先端振動部１ｂにＹ方向に直線状の屈曲振動が励起される。
【００２７】
ここで、圧電素子３Ａ，３Ｂと圧電素子３Ｃ，３Ｄとに、互いに位相がπ／２だけずれた交番電圧を同時に印加すると、光ファイバ１の先端１ａが円状の軌跡に沿って振動する。さらに、これら２つの交番電圧の振幅を正弦波状に時間変化させると、光ファイバ１の先端１ａがスパイラル状の軌跡に沿って振動する。これにより、被検体Ｘ上において照明光Ｌをスパイラル状の軌跡に沿って２次元的に走査することができる。
【００２８】
この場合に、本実施形態に係る光ファイバスキャナ１０によれば、光ファイバ１の先端振動部１ｂの全部または大部分が、振動伝達部材２の先端側部分に形成された収容穴６内に収容され、この収容穴６内で振動させられる。このように、振動伝達部材２から光ファイバ１がほとんど突出しない構造とすることによって、光ファイバスキャナ１０のうち、保持部材４の基端面から光ファイバ１の先端１ａまでの部分が短くなる。この部分は、光ファイバスキャナ１０をプローブ状の照明装置または観察装置に組み込む際に、照明装置または観察装置の先端硬質部に配置される部分である。すなわち、本実施形態に係る光ファイバスキャナ１０を用いることにより、先端硬質部の短い照明装置または観察装置を実現することができるという利点がある。
【００２９】
次に、本実施形態に係る光ファイバスキャナ１０を備える観察装置１００について説明する。
本実施形態に係る観察装置１００は、内視鏡のようなプローブ状の観察装置であり、図２に示されるように、光ファイバスキャナ１０の先端側に配置された照明レンズ１１と、光ファイバスキャナ１０および照明レンズ１１を収容する細長い外筒１２と、光ファイバスキャナ１０の外側に周方向に配列された複数本の検出用光ファイバ１３と、光ファイバ１の基端に照明光Ｌを供給する光源１４と、検出用光ファイバ１３によって受光された光を検出する光検出器（光検出部）１５とを備えている。
【００３０】
照明レンズ１１は、その後側焦点位置が光ファイバ１の先端１ａと略一致するように配置されている。照明レンズ１１は、光ファイバ１の先端１ａから射出される光を受光し、受光した照明光Ｌを平行光に変換した後に集束光束として射出して被検体Ｘ上に集光させる。なお、図２には、照明レンズ１１として単一のレンズが示されているが、照明レンズ１１は、複数のレンズから構成されていてもよい。
【００３１】
光ファイバスキャナ１０は、保持部材４の外周面と外筒１２の内周面とがエポキシ系の接着剤によって互いに固定されることにより、外筒１２内に保持されている。
光源１４は、外筒１２の基端側に配置され、光ファイバ１の基端が接続されている。
光検出器１５は、外筒１２の基端側に配置され、検出用光ファイバ１３の基端が接続されている。
【００３２】
このように構成された観察装置１００によれば、照明レンズ１１を被検体Ｘに対向配置した状態で光ファイバ１の先端１ａをスパイラル状に振動させ、光源１４から光ファイバ１に照明光Ｌを供給すると、光ファイバ１内を伝搬した照明光Ｌが先端１ａから射出される。射出された照明光Ｌは、照明レンズ１１によって収束して被検体Ｘに照射され、被検体Ｘ上においてスパイラル状の軌跡に沿って２次元的に走査される。
【００３３】
被検体Ｘからの照明光Ｌの戻り光Ｌ’は、複数本の検出用光ファイバ１３によって受光され、その強度が光検出器１５によって検出される。観察装置１００は、照明光Ｌの走査周期と同期して光検出器１５によって戻り光Ｌ’を検出し、検出された戻り光Ｌ’の強度を照明光Ｌの走査位置と対応付けることにより、被検体Ｘの画像を生成する。
【００３４】
この場合に、本実施形態に係る観察装置１００によれば、保持部材４の基端面から照明レンズ１１が配置される先端面までの先端硬質部１６は、硬質な外筒１２によって被覆される。上述したように光ファイバスキャナ１０の、先端硬質部１６に配置される部分は短いので、先端硬質部１６を短くすることができる。これにより、例えば、狭い管腔の湾曲した部分においても観察装置１００を容易に移動させることができ、操作性の高い観察装置１００を得ることができるという利点がある。
【００３５】
なお、本実施形態においては、光ファイバスキャナ１０を備える観察装置１００について説明したが、上述した構成のうち検出用光ファイバ１３および光検出器１５を省略して、照明機能のみを備える照明装置を構成してもよい。
【００３６】
また、本実施形態に係る光ファイバスキャナ１０は、以下の第１から第３の変形例のように変形してもよい。
第１の変形例として、図３（ａ），（ｂ）に示されるように、保持部材４の先端面に座ぐり穴状の凹部４ａが形成され、圧電素子３Ａ，３Ｂ，３Ｃ，３Ｄが凹部４ａの内側と外側とに跨がるように、圧電素子３Ａ，３Ｂ，３Ｃ，３Ｄの基端部分が凹部４ａ内に挿入されていてもよい。凹部４ａは、該凹部４ａ内に位置する圧電素子３Ａ，３Ｂ，３Ｃ，３Ｄの基端部分の外周面の周囲に環状の隙間が形成されるように、下式を満たす直径Ｋを有する。ただし、下式において、Ｉは、対向する２枚の圧電素子３Ａ，３Ｂまたは３Ｃ，３Ｄの、半径方向外側に位置する面同士の間の距離である。
Ｋ  ＞  √２×Ｉ
【００３７】
第２の変形例として、図４（ａ），（ｂ）に示されるように、圧電素子３Ａ，３Ｂ，３Ｃ，３Ｄと保持部材４との配置が逆であってもよい。すなわち、保持部材４が振動伝達部材２の先端側に設けられ、圧電素子３Ａ，３Ｂ，３Ｃ，３Ｄが、振動伝達部材２の基端側に設けられていてもよい。
第３の変形例として、図５（ａ），（ｂ）に示されるように、振動伝達部材２が、円柱状であってもよい。
【００３８】
（第２の実施形態）
次に、本発明の第２の実施形態に係る光ファイバスキャナ２０について図６を参照して説明する。なお、本実施形態においては、第１の実施形態と異なる構成について主に説明し、第１の実施形態の共通の構成については同一の符号を付して説明を省略する。
本実施形態に係る光ファイバスキャナ２０は、図６（ａ），（ｂ）に示されるように、収容穴６の形状が第１の実施形態と異なる。
【００３９】
具体的には、収容穴６は、図６（ａ）に示されるように、振動伝達部材２の基端側から先端側に向かって内径が漸次大きくなる円錐台状であり、振動伝達部材２の先端面における開口の直径Ｈは、底面の直径Ｅよりも大きくなっている。
【００４０】
本実施形態に係る光ファイバスキャナ２０の作用は、第１の実施形態と同様であるので、説明を省略する。
本実施形態に係る光ファイバスキャナ２０によれば、光ファイバ１の先端振動部１ｂの振幅は、先端側程大きくなる。したがって、収容穴６の内径も先端側程大きくなるように円錐台状とすることにより、振動する先端振動部１ｂと収容穴６の内周面との接触をより効果的に防ぐことができる。また、先端振動部１ｂの振幅が同一である場合には、振動伝達部材２の外径を縮小することができる。また、振動伝達部材２の外径が同一である場合には、光ファイバ１の先端１ａの振幅をより大きくし、照明光Ｌの走査範囲を拡大することができる。本実施形態のその他の効果は、第１の実施形態と同じであるので説明を省略する。
【００４１】
（第３の実施形態）
次に、本発明の第３の実施形態に係る光ファイバスキャナ３０について図７を参照して説明する。なお、本実施形態においては、第１の実施形態と異なる構成について主に説明し、第１の実施形態の共通の構成については同一の符号を付して説明を省略する。
【００４２】
本実施形態に係る光ファイバスキャナ３０は、図７に示されるように、第１の実施形態の第１の変形例と類似しており、保持部材４に設けられた凹部４ａ内に圧電素子３Ａ，３Ｂ，３Ｃ，３Ｄの基端側部分が挿入されている。図７においては、第１の実施形態に係る光ファイバスキャナ１０と比較するために、上段に図１（ａ）に示される光ファイバスキャナ１０と同じものを図示し、下段に本実施形態に係る光ファイバスキャナ３０を図示している。
【００４３】
光ファイバスキャナ３０において、凹部４ａの深さＪと同じ距離Ｊだけ、圧電素子３Ａ，３Ｂ，３Ｃ，３Ｄの位置が基端側にずれている。また、振動伝達部材２の長さも長さＪだけ短くなっており、収容穴６の底面の位置も基端側に距離Ｊだけずれている。ここで、先端振動部１ｂの長さＦは第１の実施形態と同じであり、光ファイバ１の先端１ａも、基端側に距離Ｊだけ移動している。
【００４４】
本実施形態に係る光ファイバスキャナ３０の作用は、第１の実施形態と同じであるので説明を省略する。
本実施形態に係る光ファイバスキャナ３０によれば、保持部材４に凹部４ａを設けることによって、圧電素子３Ａ，３Ｂ，３Ｃ，３Ｄおよび先端振動部１ｂの寸法を維持しながら、これら圧電素子３Ａ，３Ｂ，３Ｃ，３Ｄおよび先端振動部１ｂの位置を基端側にずらすことができ、先端硬質部１６に配置される部分をさらに短くすることができる。これにより、第１の実施形態の光ファイバスキャナ１０と比べて、さらに先端硬質部１６の短い照明装置または観察装置を実現することができるという利点がある。
【符号の説明】
【００４５】
１  光ファイバ
１ａ  先端
１ｂ  先端振動部
２  振動伝達部材
３Ａ，３Ｂ，３Ｃ，３Ｄ  圧電素子
４  保持部材
４ａ  凹部
５  嵌合穴（貫通穴）
６  収容穴（貫通穴）
７，８  リード線
９  ＧＮＤリード線
１０，２０，３０  光ファイバスキャナ
１１  照明レンズ
１２  外筒
１３  検出用光ファイバ
１４  光源
１５  光検出器（光検出部）
１６  先端硬質部
１００  観察装置
Ｌ  照明光
Ｌ’  戻り光
Ｘ  被検体
【図１】
2015159890.tif 000003
【図２】
2015159890.tif 000004
【図３】
2015159890.tif 000005
【図４】
2015159890.tif 000006
【図５】
2015159890.tif 000007
【図６】
2015159890.tif 000008
【図７】
2015159890.tif 000009